(57)【要約】「特別隣接」セルリストをセルラー無線通信システムの移動無線局に同報送信するか、または専用メッセージで送信する。移動無線局は移動無線局に現在サービスを提供するサービス提供セルから同報送信信号または専用メッセージを検出する。他のセルに関連する測定を実行する前に、他のセルに信号を送信するか、または他のセルに関連する測定結果のレポートを生成する前に、移動局は同報送信信号または専用メッセージから特別隣接セルリストを決定する。セルの特別隣接リストに基づき、移動無線局は、選択されるセル、または信号の送信先となるセル、または決定されたセルから送信された信号に関係する関連測定結果レポートが生成されるところのセルを決定する。その後移動無線局は決定したセルを選択するか、信号を決定したセルに送信するか、または決定したセルからレポートする測定信号を監視する。
2010510714.tif 000002
【特許請求の範囲】
【請求項１】
セルラー無線通信システム（１０）において通信する移動無線局（１８）で実行される方法であって、
前記移動無線局（１８）に現在サービスを提供しているサービス提供セルから同報送信信号または専用メッセージを検出するステップ（Ｓ１）と、
他のセルに信号を送信するかまたは他のセルに関連する測定結果のレポートを生成する前に、前記同報送信信号または前記専用メッセージからセルのリストを検出するステップと、
前記セルのリストに基づき、選択されるセル、または信号の送信先とするセル、または決定されたセルから送信された信号に関係する関連測定結果レポートが生成されるところのセルを決定するステップ（Ｓ９の「はい」）と、
前記決定されたセルを選択するか、または前記決定されたセルに信号を送信するか、または前記決定されたセルからレポートする測定結果のための信号を監視するステップ（Ｓ１０）と
を含むことを特徴とする方法。
【請求項２】
加入に関わらず移動無線局により検出可能な形式で前記リストを送信することを特徴とする請求項１に記載の方法。
【請求項３】
前記リストが変化する場合、前記移動無線局が前記変化するリストを含む同報送信信号または専用メッセージを前記サービス提供セルから検出することを特徴とする請求項１に記載の方法。
【請求項４】
前記リストは、前記移動無線局（１８）がリストされていないどのセルに対しても自由にサービスを要求するよう、前記移動無線局がサービスを受けることを禁止された１又は複数の禁止セルを含み（Ｓ７−「はい」）、前記移動無線局（１８）は前記１又は複数の禁止セルからの信号を監視せず、前記１又は複数の禁止セルへの信号を送信しないことを特徴とする請求項１に記載の方法。
【請求項５】
幾つかのセル特有パラメータを適用後に、前記移動無線局がサービスを受けることが許容される１つまたは複数の特別の選択可能なセルを前記リストがさらに含み（Ｓ２の「はい」）、
前記リスト上の特別の選択可能なセルから信号を検出するステップと、
１つまたは複数のセル特有パラメータを適用する測定を実行するステップと、
測定結果の評価を実行するステップと、
前記測定結果の評価に基づき、その特別の選択可能なセルへのセルの選択を実行するか、またはその特別の選択可能なセルについての測定結果のレポートを生成するか、またはその特別の選択可能なセルについての前記測定結果のレポートを無線アクセスネットワークノードに送信するステップと
をさらに含むことを特徴とする請求項４に記載の方法。
【請求項６】
幾つかのセル特有パラメータを適用後に、前記移動無線局がサービスを受けることが許容される１つまたは複数の特別の選択可能なセルを前記リストが含み（Ｓ２の「はい」）、
前記リスト上の特別の選択可能なセルから信号を検出するステップと、
その特別の選択可能なセルからのサービスを選択し、それを受けるステップと
をさらに含むことを特徴とする請求項４に記載の方法。
【請求項７】
前記移動無線局がサービスを受けることが奨励される１つまたは複数の特別の選択可能なセルを前記リストが含み、
前記リストの各セルに関連するＩＤおよび、許容セル／非許容セルのインジケータと、電力オフセットと、前記セルに関連するアンテナ構成のうちの１または複数のパラメータを含む前記リストをメモリに保存するステップと
をさらに含むことを特徴とする請求項４に記載の方法。
【請求項８】
他のセルに関連する測定を実行する前記ステップの前に、前記同報送信信号または前記専用メッセージからセルのリストを検出する前記ステップを行うことを特徴とする請求項１に記載の方法。
【請求項９】
セルラー無線通信システム（１０）において通信する移動無線局（１８）のための移動無線装置であって、
前記移動無線局（１８）に現在サービスを提供するサービス提供セルから同報送信信号または専用メッセージを検出するように構成された検出器（２４）と、
他のセルに関連する測定の実行、または他のセルへの信号の送信、または他のセルに関連する測定結果のレポートの生成の前に、前記同報送信信号または専用メッセージからセルのリストを判定するように構成された電子回路（２０）であって、
前記セルのリストに基づいて、選択されるセル、または信号の送信先となるセル、または決定されたセルから送信された信号に関係する関連測定結果レポートが生成されるところの他のセルを決定するように構成された電子回路と、
前記決定されたセルに信号を送信するか、または前記決定されたセルからの信号を監視する通信回路（３０）と
備えることを特徴とする移動無線装置。
【請求項１０】
加入に関わらず移動無線局により検出可能な形式で前記リストを送信することを特徴とする請求項９に記載の移動無線装置。
【請求項１１】
前記リストが変化する場合、前記サービス提供セルから、前記変化するリストを含む同報送信信号または専用メッセージを送信するように前記検出器が構成されることを特徴とする請求項９に記載の移動無線装置。
【請求項１２】
前記リストは、前記移動無線局がリストされていないどのセルに対しても自由にサービスを要求するよう、前記移動無線局がサービスを受けることを禁止された１又は複数の禁止セルを含み、前記検出器は、前記１又は複数の禁止セルからの信号を監視せず、前記１又は複数の禁止セルへの信号を送信しないように構成されることを特徴とする請求項９に記載の移動無線装置。
【請求項１３】
幾つかのセル特有パラメータを適用後に、前記移動無線局がサービスを受けることが許容される１つまたは複数の特別の選択可能なセルを前記リストがまた含み、
前記リスト上の特別の選択可能なセルから信号を検出するように前記検出器が構成され、
前記特別の選択可能なセルの測定結果レポートを生成するように前記電子回路が構成され、
前記測定結果のレポートを無線アクセスネットワークノード（３４）に送信する前記通信回路に接続された無線送信機を前記移動無線装置がさらに含むことを特徴とする請求項１２に記載の移動無線装置。
【請求項１４】
前記移動無線局がサービスを受けることが奨励される１つまたは複数の特別の選択可能なセルを前記リストが含み、
前記リスト上の特別の選択可能なセルから信号を検出するように前記検出器が構成され、
その特別の選択可能なセルを選択し、その特別の選択可能なセルからサービスを受けるように前記電子回路が構成されることを特徴とする請求項１２に記載の移動無線装置。
【請求項１５】
前記移動無線局がサービスを受けることが奨励される１つまたは複数の特別の選択可能なセルを前記リストが含み、
前記移動無線装置が、前記リスト（２８）を蓄積するメモリ（２６）をさらに含み、
前記リストの各セルに関連するＩＤおよび、許容セル／非許容セルのインジケータと、電力オフセットと、前記セルに関連するアンテナ構成のうちの１つまたは複数のパラメータを前記リストが含むことを特徴とする請求項１２に記載の移動無線装置。
【請求項１６】
セルラー無線通信システムにおいて移動無線局（１８）と通信する無線アクセスネットワーク（１４）で実行される方法であって、
移動無線局が選択することを禁止されている１つまたは複数の隣接セルと、移動無線局が選択することができるその他の隣接セルとは異なるように前記移動無線局が扱うべき１つまたは複数の選択可能な隣接セルとを含み、前記その他の隣接セルを含まない特別隣接セルのリストを決定するステップ（Ｓ２０、Ｓ２２）と、
サービス提供セルからの前記特別隣接セルのリストを同報送信する（Ｓ２６）か、または専用メッセージで送信するステップと
を含むことを特徴とする方法。
【請求項１７】
加入に関わらず移動無線局により検出可能な形式で前記特別隣接セルのリストを送信することを特徴とする請求項１６に記載の方法。
【請求項１８】
前記特別隣接セルのリストが変化する場合、前記サービス提供セルから前記変化するリストを同報送信するか、または専用メッセージで送信することを特徴とする請求項１６に記載の方法。
【請求項１９】
前記特別隣接セルのリストが前記リストの各セルに関連するＩＤおよび、許容セル／非許容セルのインジケータと、電力オフセットと、前記セルに関連するアンテナ構成のうちの１つまたは複数のパラメータを含むことを特徴とする請求項１６に記載の方法。
【請求項２０】
セルラー無線通信システムにおいて移動無線局（１８）と通信する無線アクセスネットワーク（１４）に実装される装置であって、
移動無線局が選択することを禁止されている１つまたは複数の隣接セルと、移動無線局が選択することができるその他の隣接セルとは異なるように前記移動無線局が扱うべき１つまたは複数の選択可能な隣接セルとを含み、前記その他の隣接セルを含まない特別隣接セルのリストを決定するプロセッサ（３６）と、
サービス提供セルから前記特別隣接セルのリストを送信する無線送信機（４４）と
を備えることを特徴とする装置。
【請求項２１】
加入に関わらず移動無線局により検出可能な形式で前記特別隣接セルのリストを送信することを特徴とする請求項２０に記載の装置。
【請求項２２】
前記特別隣接セルのリストが変化する場合、前記サービス提供セルから前記変化する同報送信リストを送信するように前記無線送信器が構成されることを特徴とする請求項２０に記載の装置。
【請求項２３】
前記特別隣接セルのリストが前記リストの各セルに関連するＩＤおよび、許容セル／非許容セルのインジケータと、電力オフセットと、前記セルに関連するアンテナ構成のうちの１つまたは複数のパラメータを含むことを特徴とする請求項２０に記載の装置。
【発明の詳細な説明】
【技術分野】
【０００１】
本明細書に記載する技術はセルラー無線通信に関し、より詳細には隣接するセル情報の効率的な管理に関する。
【背景技術】
【０００２】
移動端末またはユーザ装置（ＵＥ、ｕｓｅｒ  ｅｑｕｉｐｍｅｎｔ）と時に呼ぶ移動無線局はセルラー通信において最も良く見かけるものである。移動局が無線アクセスネットワーク（ＲＡＮ、ｒａｄｉｏ  ａｃｃｅｓｓ  ｎｅｔｗｏｒｋ）に「接続する」場合、移動局は進行中の通信、例えば別の加入者またはコンテンツサーバとの通信に関わらないアイドル状態か、または移動局が進行中の接続に関わる接続モードのいずれかにありうる。移動局の状態は種々のラベルおよび種々のシステムを有するが、用語「アイドル」を本明細書で使用して、移動局が電源オンであるが進行中の通信に実際に参加していない状態を記述する。アイドル状態の間に移動加入者が希望するか、または移動加入者に着信呼がある場合、セルからサービスを受けるために、移動局はセルを選択するか、そのセルに登録するか、またはそのセルにキャンプオンすることができる。アイドルの移動局は自動的にセル再選択手順を実行し、移動局は種々のセルが同報送信し、移動局が現在所在するかまたは登録するサービス提供セル並びに隣接セルを含むシステム情報を読み、他のセルを選択してキャンプオンするかを判断する。一度セルの再選択が生じると、ネットワークは移動局から位置更新メッセージを受信することになろうが、このメッセージは移動局がその位置更新をネットワークに要求する新しいエリアに入ったことを示し、更新位置情報、例えば移動局を呼ぶのに使用することができるセル、所在エリア、ルーティングエリアなどを提供する。
【０００３】
システム情報の同報送信に加えて、各セルはまた、通常、移動局がセルラーネットワークを全体に亘って移動する場合に移動局が新しいセルを特定するタスクを容易にするために、その「隣接」セルのリストを送信する。このような隣接セルリストは例えばＧＳＭおよびＵＭＴＳベースのセルラーシステムで採用されている。移動局ベースの移動手法では、移動局は各セルのシステム同報送信情報から隣接リストを読み、移動局がそのリスト上のセルがその現在のセルより「より良好」である、例えばより強力な信号を送信していること（またはその他の再選択基準）を検出する場合、移動局はその隣接セルをそのサービス提供セルとして再選択する。移動局の位置の更新を必要とすれば、移動局は上記のようにその新サービス提供セルを示す更新メッセージを無線アクセスネットワークに（その状態に応じて）送信することができる。ネットワークにより制御された移動のために、移動局は通常、ネットワークからの専用メッセージを介して、その同じ周波数で動作する隣接セルを伴う専用メッセージ（単数または複数）により隣接セルリストを受信する。さらに移動局は他の周波数の隣接セルおよび他の無線アクセス技術（ＲＡＴｓ、ｒａｄｉｏ  ａｃｃｅｓｓ  ｔｅｃｈｎｏｌｏｇｉｅｓ）のための追加隣接セルリストを受信し、他の周波数またはアクセス技術への移動を許容することができる。移動局が、隣接セルからのパイロット信号がその隣接セルを再選択の良好な候補とする程度に十分強いことを検出する場合、移動局は１または複数の定義済みの状態に従い、その隣接セルに関連する測定結果のレポートをネットワークに返送する。ネットワークはそのレポートをハンドオーバ操作に使用する。状態の例は、最良のセルの変遷または、最良のセルもしくは現在のセルと比較して一定範囲内にある測定値を伴う新しいセルの検出を含む。
【０００４】
移動無線局は加入制限に基づき１つのセルグループを禁止するか、または１つのセルグループの再選択を防止することができる。ＧＳＭおよびＵＭＴＳでは、禁止位置登録エリア（ＬＡ、ｌｏｃａｔｉｏｎ  ａｒｅａ）を使用してこれを実装する。位置登録エリアはアイドル移動局のおよその位置を位置決めするのに使用するセルグループを含む。移動局が新しい位置登録エリアに移動する場合のアイドルモードでは、移動局は新しい位置登録エリアへのその移動を示す位置登録更新メッセージを無線ネットワークに送信する。この位置登録更新メッセージに応答して、ネットワークは移動無線局に、例えば種々のローミング制限のためにこの特定の位置登録エリアがこの特定の移動無線局について禁止されていることを知らせることができる。この禁止位置登録エリアの機能は、無線アクセスネットワークではなくコアネットワークにおいて制御されるので、移動局は移動局が特定の禁止セルの再選択をすることができないことを見出すために位置登録を試行しなければならない。禁止位置登録エリア（ＬＡ）内のセルへの移動局の登録の試行および不首尾の後、また失敗するであろうことをネットワークが事前に知っているＬＡへのさらなる試行を回避するために、移動局はネットワークから禁止ＬＡリストを受信することができる。各セルにおいて同報送信されたＬＡのＩＤを読むことにより、移動局は、保存しているＬＡリストに従い、禁止ＬＡに属すセルへのさらなる試行を行うことを回避することができる。
【０００５】
システム同報送信情報を繰り返し送信し、また全セルに対して送信しなければならないことは、著しい帯域幅および電力の消費をもたらす。隣接セルリストの送信に伴う欠点は、各セルから定期的に送信されるシステム同報送信メッセージを含めて、エアインタフェースを経て送信しなければならない相当量のデータにある。この問題を解決する１つの手法は隣接セル情報を送信しないことである。しかし隣接セルリストを送信しないと禁止セルに関するそれ自体の問題を引起す。移動無線局ベースの移動では、移動無線局は禁止セルの検出および禁止セルへの登録の試行に失敗し、登録試行の失敗のため移動局の測定リソースおよびセルラー無線通信システムの無線リソースの無駄になる。その上、移動局が禁止セルへの接続の試行に専心する間に、移動局はその現在のサービス提供セルとのその接続すら失いかねない。ネットワーク制御の移動の場合、移動局は移動局がネットワークにおいて移動する場合に更新する隣接セルを伴う専用メッセージを受信する。隣接リストに基づき、移動無線局はセルの測定結果のレポートを作成し、ネットワークに返送しなければならない。移動局ベースの移動と同様に、隣接セルリストの送信は無線リソースを消費し、さらに移動局が禁止セルを測定すればリソースの無駄も存在する。測定結果のレポートは通常、サイズが制限され、限定数量の最良セルのレポートだけがができるので、禁止セルが最良の信号強度を有するとして移動局により検出されることがあれば、移動無線局は禁止セルを含むことができるだけでよいと考えられる。その場合ネットワークは許容するセルの情報を受信しない。
【０００６】
必要なことは同報送信通知または専用メッセージによる定期ベースの広範な隣接セルリストの送信と手順およびリソースの無駄になりうる隣接セルリストを送信しないこととの間のより良好なバランスである。
【発明の概要】
【課題を解決するための手段】
【０００７】
これらおよびその他の問題はセルラー無線通信システムの移動局への「特別隣接」セルリストの同報送信により克服される。移動無線局は移動無線局に現在サービスを提供するサービス提供セルから同報送信信号または専用メッセージを検出する。他のセルに関連する測定の実行前、他のセルへの信号送信または他のセルに関連する測定結果のレポートの生成前に、移動局は同報送信信号または専用メッセージから特別隣接セルリストを判断する。セルの特別隣接リストに基づき、移動無線局は選択し、信号を送信し、または判断したセルから送信する信号に関係する関連する測定結果のレポートを生成するセルを判断する。その後移動無線局は選択し、信号を送信するか、または判断したセルからレポートする測定信号を監視する。
【０００８】
加入に関わらず移動無線局により検出可能な形式でリストを送信することができるか、または１つの移動局のみに送信することができる。リストは同報送信信号としてか、または１つ若しくは幾つかの専用メッセージ（単数または複数）としてかの２つの異なる送信オプションのいずれかにより送信することができる。典型的には、同報送信オプションを使用する場合、リストは複数の移動局に送信され、専用メッセージオプションを使用する場合、リストはただ１つの移動局に送信される。同報送信リストが変化する場合、移動無線局は変化した同報送信リストを含む後続の同報送信信号におけるその変化をサービス提供セルから直ちに検出することができる。専用メッセージオプションの場合、移動局が無線ネットワークから新しいメッセージを受信する場合、移動局はリストにおける変化を検出する。両送信オプションの場合、ネットワークは隣接セルのリストを更新し、次いで更新するセルリスト情報を伴う新しい同報送信または専用メッセージを送信すべきかおよびすべき時間を決定する。
【０００９】
１つの非限定実装例では、同報送信リストまたは専用メッセージは１つまたは複数の禁止セルを含み、禁止セルは移動無線局がリストされていないセルから自由にサービスを要求するようなサービスを移動無線局が受けるのを禁止する。移動無線局は有利には１つまたは複数の禁止セルからの信号監視を回避し、１つまたは複数の禁止セルへの信号送信を回避し、１つまたは複数の禁止セルに関連する測定結果のレポートの生成を回避する。リストは、好ましくはまた１つまたは複数の特定の選択可能なセルも含み、これらのセルから移動無線局はサービスを受けることはできるが、これらのセルに対して移動局はその他の隣接セルに対して通常考慮しない１つまたは複数の要因を考慮に入れなければならない。信号をリスト上の特定の選択可能なセルから検出し、測定結果のレポートをその特定の選択可能なセルに対して生成することができる。測定レポートを次いで無線アクセスネットワークノードに送信することができる。さらに、移動局は特定の選択可能なセルからサービスを選択し、サービスを受けることができる。リストはリストの各セルに関連する特定情報および恐らく１つまたは複数の以下のパラメータ：許容セル／非許容セルの指示情報、電力オフセットおよびセルに関連するアンテナ構成を含むことができる。
【００１０】
ネットワークの観点から、無線アクセスネットワークノードは特別隣接セルのリストを判断するが、リストは移動無線局が選択することを禁止する１つまたは複数の隣接セルと、移動無線局が選択可能な特別隣接セル以外の隣接セルとは異なるように移動無線局が扱われるべき１つまたは複数の特別の選択可能な隣接セルとを含む。その他の隣接セルは特別隣接セルのリストに含まない。移動局ベースのまたはネットワーク制御の移動を使用するかに応じて、特別隣接セルのリストを移動局にサービス提供セルから同報送信するか、または専用信号により送信する。加入に関わらず移動無線局により検出可能な形式で特別隣接セルのリストを同報送信することができるか、または特別隣接セルリストを１つの移動局のみによって検出可能なような専用メッセージとして送信することができる。上記のように特別隣接セルのリストが変化する場合、変化したリストをサービス提供セルから直ちに送信することができる。
【００１１】
この技術は移動無線局への非常に長くなり得るものである、従来の隣接セルリストの送信の必要性を除去し、それに関連する信号帯域幅および電力要求を削減する。移動無線局は監視、測定および禁止セルとの通信並びに禁止セルに対する測定結果のレポートの生成および送信を回避することができ、これはさらに不要な信号および処理を除去する。他方、この技術は運用会社がリストに含む１つまたは複数のパラメータを使用して利用可能な隣接セルを望むように高度化または重要性の低減を図ることを許容する。
【図面の簡単な説明】
【００１２】
【図１】図１はセルラー通信システムの例を示す図である。
【図２】図２は移動局の例の機能ブロック図である。
【図３】図３は複数の禁止セルを含む隣接セルのグループを示す図である。
【図４】図４は無線アクセスノードの例の機能ブロック図である。
【図５】図５は移動局により実行することができる非限定手順例を示すフローチャートの図である。
【図６】図６は無線アクセスネットワークにより実行することができる非限定手順例を示すフローチャートの図である。
【図７】図７は特別隣接セルリストの非限定例の図である。
【図８】図８は特別隣接セルリストの他の例の図である。
【図９】図９は非限定信号方式の例の図である。
【発明を実施するための形態】
【００１３】
以下の記述では説明および限定しないこと目的とし、記載する技術の理解を図るために、特定のノード、機能エンティティ、技術、プロトコル、規格などの特定の詳細を明らかにする。その他の例では、周知の方法、デバイス、技術などの詳細な記述を省略し、不要な詳細により説明を曖昧にしないようにする。個別の機能ブロックを図に示す。当業者は個別のハードウェア回路を使用し、適切にプログラムするマイクロプロセッサまたは汎用目的コンピュータと共にソフトウェアプログラムおよびデータを使用し、アプリケーション専用集積回路（ＡＳＩＣ、ａｐｐｌｉｃａｔｉｏｎ  ｓｐｒｅｃｉｆｉｃ  ｉｎｔｅｇｒａｔｅｄ  ｃｉｒｃｕｉｔ）、およびプログラマブル・ロジック・アレイ、および１つまたは複数のディジタル信号プロセッサ（ＤＳＰｓ、ｄｉｇｉｔａｌ  ｓｉｇｎａｌ  ｐｒｏｃｅｓｓｏｒｓ）またはそれらの少なくともいずれかを使用してこれらのブロックの機能を実装することができることを理解しよう。当業者にはその他の実施形態を以下に開示する特定の詳細とは別に実行することができることは明らかであろう。
【００１４】
図１は無線アクセスネットワーク（ＲＡＮ）１４に接続する１つまたは複数のネットワーク１２を含むセルラー通信システム１０を示す。無線アクセスネットワーク１４は複数のセル１６をサポートし、セルの例をセル１、セル２およびセル３と名付ける。各セルはシステム情報メッセージを定期的に同報送信し、このメッセージを、移動局ベースの移動を行う種々の移動局１８が範囲内にあれば走査し、検出することができる。範囲内にいる移動局１８はまたこのような同報送信メッセージの信号強度を検出し、このようなセルが、ネットワーク制御の移動を使用する場合に測定結果をレポートする候補、または移動局ベースの移動を使用する場合のセル再選択の候補になりうるかを判断する。このようなセル強度の測定結果のレポートを移動無線局により無線アクセスネットワーク１４に送信する。これは、無線アクセスネットワーク１４に配信されたこの情報を有することが役立つ可能性のあるハンドオーバ処理または電力設定または無線リソースの割当てまたはその他の無線リソース管理（ＲＲＭ）のためである。近代セルラーシステムの各セルが普通に行うように、全隣接セルを含む隣接セルリストを同報送信メッセージで移動局に送信する代わりに、無線アクセスネットワーク１４の各セルは特別な方法で処理すべきもっと小さな「特別隣接」セルのリストを定期的に同報送信する。ネットワーク制御移動の場合、特別隣接セルのリストを搬送する同報送信メッセージの代わりに、このようなリストを専用メッセージにより各移動局に送信することができる。
【００１５】
特別隣接セルリストは、例えばセル再選択またはハンドオーバベースの測定結果のレポートを禁止する禁止セルを含むことができる。これらの禁止セルをまた非隣接セルと呼ぶこともできる。特別隣接セルリストはまた例えば特別の選択可能なセルを含むことができる。特別の選択可能なセルは、セル再選択と、リストに含まれないその他の隣接セルが使用しない測定結果のレポートとに関係する特別のパラメータ表現を使用する。特別隣接セルリストにリストされていないその他の隣接セルが一定の再選択基準を満たせば移動局はなおこのその他の隣接セルを選択することができる。リストされていないセルはデフォルトのパラメータ（単数または複数）セットを使用する。このように限定された数の特別隣接セルのみをリストして送信するのは、移動局がこのような情報を受信することが有用であるからである。その他の場合、移動局は検出する利用可能な隣接セルを自由に監視し、選択する。
【００１６】
特別なセルのパラメータの非限定的な例は個別のセルのオフセットを含む。この個別のセルのオフセットでは、現在のサービス提供セルに関する選択機会を改善するか、または阻止するために、正または負の値が信号強度の測定結果に加えられる。個別のオフセットを特定のセルと関連付ける幾つかの理由の例は以下を含む。
【００１７】
１．フィーダ損失差の調整。この場合、より大きなフィーダ損失を伴うセルは、より小さなフィーダ損失を伴うセルと比較して無線インタフェースにおいてより少ない電力により送信する。
【００１８】
２．アップリンク／ダウンリンク不平衡の補償。この場合、アップリンクの無線伝播状態を考慮するため、ダウンリンクにおいて移動局により測定する信号強度値をオフセットにより調整する。
【００１９】
３．移動局が実際にビルの外部に位置する場合の、ビルの内部に位置する屋内セルの選択の阻止。
【００２０】
４．非常に遠くにあるが明確な見通しを有するセル、たとえば広い水域の向こう側にあるセルの阻止。
【００２１】
５．小さなセル／大きなセルの地域における大きなセルの選択の奨励。
【００２２】
特定のセルのパラメータの他の例は基地局送信電力である。小さなセルおよび大きなセル双方を伴う基地局が或る値域に含まれる場合、小さなセルの基地局ハードウェアを使用して、大きなセルにサービスを提供する基地局ハードウェアと比べてより低い出力電力により信号を送信することがしばしばある。大小のセル環境では、基地局と移動局との間の経路損失に基づき再選択基準を評価する移動局は経路損失計算（経路損失（ｄＢ）＝送信電力−測定した信号電力）を実行する基地局送信（Ｔｘ）電力を持つ必要がある。経路損失の使用は、より高い送信電力を有する基地局が、測定信号電力に基づいてのみ評価を行うことと比較して高すぎる評価を受けることを防止する。
【００２３】
特別セルのパラメータのさらに他の例はアンテナ構成に関係し、特別パラメータは、ＭＩＭＯアンテナ方式の送信を使用するものまたは受信ダイバシティ方式又はその両方などのような、より高度なアンテナ構成の使用を奨励するであろう。ＭＩＭＯ構成などの高度なアンテナ構成を有する基地局からの信号品質を評価する場合、測定を行ってレポートされたチャネル品質予測の歪曲を回避する際には、移動局は正しいアンテナ構成を考慮しなければならないだろう。
【００２４】
図２は移動端末１８の機能ブロック図であり、移動端末を使用してこの技術を一例に実装することができる。プロセッサ２０は、ユーザインタフェース２２（例えば、ディスプレイ、スピーカ、拡声器、キーパッドなどを含む）、信号検出器２４、メモリ２６およびアンテナ３２に接続する通信回路３０に接続される。プロセッサ２０は移動端末１８全体の動作を制御し、種々の機能ブロックの動作を調整する。検出器２４は移動無線局１８に現在サービスを提供するセルからの同報送信信号およびその信号強度を検出する。ネットワーク制御の移動を使用すれば、検出器２４はまた専用メッセージを検出することになろう。加入に関わらず移動無線局により検出可能な形式で同報送信リストを同報送信することができる。あるいはそのリストを暗号化するか、またはそうでない場合コーティングし、加入移動局のみがそれを検出し、利用できるようにすることができる。検出器２４またはプロセッサ２０は同報送信信号またはサービス提供セルの専用メッセージから特別隣接セルリスト２８を検出するか、または判断することができ、これらの信号またはメッセージをメモリ２６に好ましくは格納し、維持する。その特別隣接セルリスト２８に基づき、移動無線局１８は、監視（例えば測定）し、また、隣接セル（単数または複数）から送信された信号に関係する関連測定レポート（例えば検出する信号強度）を生成する信号（例えばセル選択または登録メッセージ）を送信する、１つまたは複数の隣接セルを決定する。移動局１８は次いで所望の時間にまたは所望の時間間隔で若しくは起動イベントが生じる場合に、通信回路３０により無線ネットワークにそのような信号を送信する。
【００２５】
上記のように特別隣接セルリストは移動無線局がサービスを受けるのを禁止する１つまたは複数の防止または禁止セルを含む。図３は、幾つかの隣接セル１−１４を示し、そのうち移動局がセル番号１において現在サービスを提供されている例を示す。この単純な例では、特別隣接セルリストを同報送信するか、または専用メッセージにより送信する。リストは隣接セル２および隣接セル３が禁止セルである情報を含む。移動無線局はこのリストから、セル１またはセル２の何れかからサービスを受けることを禁止されていることを知るので、移動無線局はセル２およびセル３に関連する測定結果を報告する信号送信または信号監視を試みない。他方、移動無線局は、セル４乃至セル１４のうちの１つを含むリストされない利用可能な隣接セルに対して自由にサービスを要求する。例では移動局は禁止セル１を通じて移動し、隣接セル９からサービスを要求する。移動無線局が通常（非特別）の、利用可能な隣接セルを含む隣接セルリストを受信する必要性はないので、特別隣接セルリストで運ばれる相当に少ない情報を、エアインタフェースを経て同報送信する。１つまたは複数の追加する特別セル選択パラメータまたは条件を満たせば、特別隣接リストはまた、移動無線局がサービスを受けることができる１つまたは複数の特別の選択可能なセルを含むことができる。同報送信信号をリスト上の特別の選択可能なセルから検出し、測定結果のレポートをその特別の選択可能なセルのために生成し、測定結果のレポートを無線アクセスネットワークに送信する。
【００２６】
図４は特別隣接セルリストを生成し、セルからの同報送信に使用することができる無線アクセスノード３４の例を示す機能ブロック図である。その代わりとして、セルから特別隣接セルリストを専用メッセージにより特定の移動局に送信することもできる。無線アクセスノード３４を、例えば無線基地局（ＢＳ、ｂａｓｅ  ｓｔａｔｉｏｎ）即ちアクセスポイント（ＡＰ、ａｃｃｅｓｓ  ｐｏｉｎｔ）に実装することができる単一のノードエンティティとして示す。しかしながら点線により示した、無線アクセスノードにおいて実行される、個別のネットワークノードを選択する機能を分散することが望ましいであろう。その場合破線の右側に示す無線送受信ブロック４４におけるエアインタフェースのそれぞれの機能を経て情報を最終的に送信および受信するノードとは別のノードにおいて、破線の左側の機能を実行する。無線送受信回路４４は１つまたは複数のアンテナ４６に接続される。プロセッサ３６はメモリ３８に接続され、無線アクセスノード３４が単一ノードであれば無線送受信回路４４に接続することができる。複数の特別隣接セルリスト４０を、移動局ベースの移動の場合には各セルに１つ、ネットワーク制御の移動の場合には各移動局に１つ生成し、メモリ４８に格納する。リストはその場合１つのセルの全移動局に同報送信する特別隣接セルリストまたは専用メッセージにより１つの移動局に送信する特別隣接セルリストの何れかでありうる。以上およびさらに以下で説明するように、隣接セルリストに関係する特別情報のみをサービス提供セルにおいて提供するように特別隣接セルリストを構築する。移動局がそのそれぞれの特別隣接セルリストに関係するセルを実際に監視しているセルについては、これらの移動局はダウンリンク信号品質、即ちこれら隣接セルから同報送信する信号の信号強度を測定し、ハンドオーバに関係する操作のために測定結果のレポートを無線アクセスノード３４に提供する。測定結果のレポートは、生成されて移動局により非禁止セルに送信されるのみである。非禁止セルは特別隣接リストにリストされないセル、またはさらに以下に説明するように特別隣接リストにリストされて特別のパラメータ表現を要求するセルの何れかでありえよう。
【００２７】
図５は移動局１８により実行することができるフローチャートの例である。移動局はそのサービス提供セルからシステム同報送信情報または専用メッセージを検出する（ステップＳ１）。特別隣接セルリストがその情報またはメッセージに含まれるかの判定をステップＳ２において行う。含まれれば、移動局は特別隣接セルリストをそのメモリに格納する（ステップＳ３）。含まれなければ、または特別隣接セルリストの格納の後に、移動局は隣接セルから受信する信号を測定する（ステップＳ４）。「良好な」セルが検出されたかの判定をステップＳ５において行う。良好なセルは、そのダウンリンク信号強度／品質および恐らくは１つまたは複数のその他の要因に基づき、有力なサービス提供セルまたは有力なハンドオーバ候補になりうるセルである。良好なセルが移動局の特別隣接セルリストにあるかの判定を行う（ステップＳ６）。あれば、良好なセルが禁止セルであるかの更なる判定をステップＳ７で行う。禁止セルであれば、良好なセルが見つからなければ行うように手順はステップＳ４に戻り、隣接セルから受信する信号の測定を継続する。ステップＳ４において、移動局は今や、禁止セルと特定されたセルにおける測定および処理リソースの消費を回避することができ、代わってこれらのリソースを非禁止セルに適用することができる。
【００２８】
他方良好なセルが禁止セルでなければ、移動局は移動局によるセルの選択／再選択を認定するか、または誘導することができる特別のパラメータ表現を適用する。良好なセルが１つまたは複数の要求条件を満すか、例えば、そのセルが現在のセルより良好であるか、またはセルが現在のセルを下回る一定ｄＢの範囲内にあるか、二番目に最良の（または三番目に、若しくは四番目に…最良の）セルであるかの判定を行う。要求条件を満さなければ、手順はステップＳ４に戻り、セルが同報送信する信号の測定を継続する。セルがこれらの要求条件を満せば、その場合、移動局が移動局ベースの移動のアイドルモードにあれば、移動局はそのサービス提供セルとしてそのセルを選択または再選択し、または移動局がアイドルモードになく、ネットワーク制御の移動があれば、測定結果のレポートをこの選択するセルに関連する無線アクセスネットワークに返送する。あるいは移動局は幾つかのセルの測定結果のレポートを１つの送信に集めることができる。
【００２９】
図６はこの技術に従い無線アクセスネットワーク（ＲＡＮ）により実行することができる非限定手順例を概略示すフローチャートである。最初に１つまたは複数の禁止セルのリストが決定される（ステップＳ２０）。種々のローミングの制限、１つまたは複数のこれら禁止セルにおける特に高い負荷、その他の加入制限、セルが現在試験や修理または更新などの下にあるなどの多様な理由のために、これらのセルを禁止することができる。他方、ネットワークにおいて利用可能であるが、ある特定のパラメータ表現を有するこれら特別の選択可能なセルもまた決定される（ステップＳ２２）。大多数の隣接セルと違い、これら特別の選択可能なセルは、１つまたは複数の認定または誘導パラメータ、例えばネットワークがパラメータのデフォルトセットを有する大多数のセルとこれらのセルとを区別するために使用することを望む個別のオフセット、アンテナ構成などを有することができる。
【００３０】
次いで特別隣接セルリストをステップＳ２０およびステップＳ２２で決定したセルから作成する（ステップＳ２４）。次いで無線アクセスネットワークのサービス提供セルは、そのセルエリアの移動局、又はそのセルエリアの近くの移動局に特別隣接セルリストを同報送信し（ステップ２６）、移動局ベースの移動を実行する移動局で使用される。無線アクセスネットワークのサービス提供セルはまた、専用メッセージにより特別隣接セルリストをこのセルに関連するネットワーク制御の移動を使用する各移動局に送信することができる。次いで特別隣接セルリストをＯ＆Ｍの介在によりまたはイベントをトリガとして更新し、若しくはそれに代えて定期的に更新し（ステップ２８）、ステップＳ２６でその後同報送信する。このような更新は例えば経験および移動局からの測定結果のレポートに基づくことができよう。禁止セルへのハンドオーバの試行の失敗および移動局が連続してセル間を往来する（ピンポンする）状況は特別隣接リストの調整のきっかけになりうるイベント例である。さらに調整はコンピュータシミュレーションまたはネットワーク性能のその他の評価に基づき得るだろう。
【００３１】
図７は特別隣接セルリストの非限定的な例を示す。リストはデフォルトの隣接セル構成を含むことができ、この構成は、この例ではデフォルトの０．２ｄＢオフセット、２７ｄＢｍの同報送信またはパイロット信号送信電力、およびＡと特定される標準アンテナ構成を含む。次いでリストは特別のセル各々について、そのＩＤ、許容されるかまたはされない（禁止される）か、およびその特別セルに関連する特別パラメータがあるか、を含むことができる。この例でセル１およびセル３双方をリストするのは、これらのセルが許容されない、即ち禁止セルだからである。許容セル３および許容セル９、許容セル１１２、許容セル１１３をリストに含むのはこれらのセルが１つまたは複数の特別パラメータを有するからである。セル３は−１ｄＢの個別のセルオフセットを有し、これはセルが選択されるであろう見込みを僅かに減じる。セル９は２１ｄＢｍのより低いパイロット電力に加えて異なるアンテナ構成Ｂを有する。より低いパイロット電力は、純然たる信号強度評価パラメータを使用すれば、そのセルが選択される見込みがより少ないことを意味する。経路損失評価パラメータを使用すれば、その場合異なるパイロット電力値がまた経路損失の計算に必要になる。アンテナ構成Ｂが必要でありうるのは、異なるアンテナ構成を持つセルを監視する移動局が、測定した受信信号電力を正しく評価するためにこの情報を必要としうるからである。セル１１２もまた選択の見込みを減じる２１ｄＢｍのより低いパイロット電力および選択の見込みを増す２という個別のセルオフセットを含む。セル１１３は−１ｄＢの個別セルオフセットを有し、これは移動局がセルを選択するであろう見込みを減じる。
【００３２】
図８は特別隣接セルリストの他の非限定的な例を示す。所望であれば、同じデフォルトの隣接セル構成情報を提供することができよう。特別パラメータ各々をリストし、そのパラメータが適合するセルが特定される。このリスト構成が好まれうるのはより少ない情報を含み、信号帯域幅および蓄積要求を削減するからである。
【００３３】
移動局ベースの移動を伴う上記の技術に基づく非限定的な信号方式の例の図を図９に示す。種々のセルからのダウンリンク同報送信信号の測定結果を前提として、移動局は基地局ＢＳ１に関連するセル１が現在その「最良のセル」であると認める。それ故セル１はそのサービス提供セルになる。移動局は、セル２およびセル３がリストされた特別隣接セルリストを含むセル１からの同報送信の情報を検出する。セル２は禁止され、セル３は５ｄＢのオフセットを有し、このためにセル３が移動局により選択される可能性が高まる。無線状態が変化し、従ってセル２が「最良のセル」になり、セル３は第２の最良のセルになる。しかしセル１からの以前の同報送信情報より、セル２が禁止セルであることから、移動局はセル１およびセル３からの同報送信信号の信号強度のみを測定する。移動局は次いでセル３がセル１よりより良好なセルであることを認識する。従ってセル３は移動局の現在のサービス提供セルになる。移動局はセル３から同報送信される情報を検出し、この情報は隣接セル１および隣接セル２を特定する隣接セルリストを含む。再度セル２は禁止され、セル１は−５ｄＢのオフセットを有し、これによりこのセルがサービス提供セルとして選択されるであろう見込みは減ずる。
【００３４】
以上の説明を、特定の要素、ステップ、範囲または機能が本質的であり、これを特許請求の範囲に含まなければならないことを意味すると読むべきではない。特許する主題の内容の範囲は特許請求の範囲のみにより限定される。法的保護の範囲は特許請求の範囲およびその等価物に列挙する文言により限定する。当業者に既知である上記の好ましい実施形態の要素に対する全ての構造的および機能的等価要素は明らかに本特許請求の範囲が包含すると考えられる。その上デバイスまたは方法が本発明により解決しようとするそれぞれおよび全ての問題に言及する必要がないのは、その問題をこの特許請求の範囲が包含するからである。さらに実施形態、特徴、構成要素またはステップを特許請求の範囲において列挙するかに関わらず、本明細書における実施形態、特徴、構成要素またはステップはただ公知のものだけであるとは考えられない。
【図１】
2010510714.tif 000003
【図２】
2010510714.tif 000004
【図３】
2010510714.tif 000005
【図４】
2010510714.tif 000006
【図５】
2010510714.tif 000007
【図６】
2010510714.tif 000008
【図７】
2010510714.tif 000009
【図８】
2010510714.tif 000010
【図９】
2010510714.tif 000011
【手続補正書】
【提出日】平成20年8月29日(2008.8.29)
【手続補正１】
【補正対象書類名】特許請求の範囲
【補正対象項目名】全文
【補正方法】変更
【補正の内容】
【特許請求の範囲】
【請求項１】
セルラー無線通信システムにおいて通信する移動無線局で実行される方法であって、
前記移動無線局に現在サービスを提供しているサービス提供セルから同報送信信号または専用メッセージを検出するステップと、
他のセルに信号を送信するかまたは他のセルに関連する測定結果のレポートを生成する前に、前記同報送信信号または前記専用メッセージからセルのリストを検出するステップと、
前記セルのリストに基づき、選択されるセル、または信号の送信先とするセル、または決定されたセルから送信された信号に関係する関連測定結果レポートが生成されるところのセルを決定するステップと、
前記決定されたセルを選択するか、または前記決定されたセルに信号を送信するか、または前記決定されたセルからレポートする測定結果のための信号を監視するステップとを含み、
前記リストは、前記移動無線局がリストされていないどのセルに対しても自由にサービスを要求するよう、前記移動無線局がサービスを受けることを禁止された１又は複数の禁止セル、または、特別な対応を必要とするセルを含み、前記リストは、特別な対応なしに選択可能な近傍セルが除外されることを特徴とする方法。
【請求項２】
前記移動無線局の加入に関わらず移動無線局により検出可能な形式で前記リストを送信することを特徴とする請求項１に記載の方法。
【請求項３】
前記リストが変化する場合、前記移動無線局が前記変化するリストを含む同報送信信号または専用メッセージを前記サービス提供セルから検出することを特徴とする請求項１に記載の方法。
【請求項４】
前記移動無線局は前記１又は複数の禁止セルからの信号を監視せず、前記１又は複数の禁止セルへの信号を送信しないことを特徴とする請求項１に記載の方法。
【請求項５】
幾つかのセル特有パラメータを適用後に、前記移動無線局がサービスを受けることが許容される１つまたは複数の特別の選択可能なセルを前記リストがさらに含み、
前記リスト上の特別の選択可能なセルから信号を検出するステップと、
１つまたは複数のセル特有パラメータを適用する測定を実行するステップと、
測定結果の評価を実行するステップと、
前記測定結果の評価に基づき、その特別の選択可能なセルへのセルの選択を実行するか、またはその特別の選択可能なセルについての測定結果のレポートを生成するか、またはその特別の選択可能なセルについての前記測定結果のレポートを無線アクセスネットワークノードに送信するステップと
をさらに含むことを特徴とする請求項１に記載の方法。
【請求項６】
幾つかのセル特有パラメータを適用後に、前記移動無線局がサービスを受けることが許容される１つまたは複数の特別の選択可能なセルを前記リストが含み、
前記リスト上の特別の選択可能なセルから信号を検出するステップと、
その特別の選択可能なセルからのサービスを選択し、それを受けるステップと
をさらに含むことを特徴とする請求項１に記載の方法。
【請求項７】
前記移動無線局がサービスを受けることが奨励される１つまたは複数の特別の選択可能なセルを前記リストが含み、
前記リストの各セルに関連するＩＤおよび、許容セル／非許容セルのインジケータと、電力オフセットと、前記セルに関連するアンテナ構成のうちの１または複数のパラメータを含む前記リストをメモリに保存するステップと
をさらに含むことを特徴とする請求項１に記載の方法。
【請求項８】
他のセルに関連する測定を実行する前記ステップの前に、前記同報送信信号または前記専用メッセージからセルのリストを検出する前記ステップを行うことを特徴とする請求項１に記載の方法。
【請求項９】
セルラー無線通信システム（１０）において通信する移動無線局（１８）のための移動無線装置であって、
前記移動無線局（１８）に現在サービスを提供するサービス提供セルから同報送信信号または専用メッセージを検出するように構成された検出器（２４）と、
他のセルに関連する測定の実行、または他のセルへの信号の送信、または他のセルに関連する測定結果のレポートの生成の前に、前記同報送信信号または専用メッセージからセルのリストを判定するように構成された電子回路（２０）であって、
前記セルのリストに基づいて、選択されるセル、または信号の送信先となるセル、または決定されたセルから送信された信号に関係する関連測定結果レポートが生成されるところの他のセルを決定するように構成された電子回路と、
前記決定されたセルに信号を送信するか、または前記決定されたセルからの信号を監視する通信回路（３０）と備え、
前記リストは、前記移動無線局がリストされていないどのセルに対しても自由にサービスを要求するよう、前記移動無線局がサービスを受けることを禁止された１又は複数の禁止セル、または、特別な対応を必要とするセルを含み、前記リストは、特別な対応なしに選択可能な近傍セルが除外されることを特徴とする移動無線装置。
【請求項１０】
前記移動無線局の加入に関わらず移動無線局により検出可能な形式で前記リストを送信することを特徴とする請求項９に記載の移動無線装置。
【請求項１１】
前記リストが変化する場合、前記サービス提供セルから、前記変化するリストを含む同報送信信号または専用メッセージを検出するように前記検出器が構成されることを特徴とする請求項９に記載の移動無線装置。
【請求項１２】
前記検出器は、前記１又は複数の禁止セルからの信号を監視せず、前記１又は複数の禁止セルへの信号を送信しないように構成されることを特徴とする請求項９に記載の移動無線装置。
【請求項１３】
幾つかのセル特有パラメータを適用後に、前記移動無線局がサービスを受けることが許容される１つまたは複数の特別の選択可能なセルを前記リストがまた含み、
前記リスト上の特別の選択可能なセルから信号を検出するように前記検出器が構成され、
前記特別の選択可能なセルの測定結果レポートを生成するように前記電子回路が構成され、
前記測定結果のレポートを無線アクセスネットワークノード（３４）に送信する前記通信回路に接続された無線送信機を前記移動無線装置がさらに含むことを特徴とする請求項１２に記載の移動無線装置。
【請求項１４】
前記移動無線局がサービスを受けることが奨励される１つまたは複数の特別の選択可能なセルを前記リストが含み、
前記リスト上の特別の選択可能なセルから信号を検出するように前記検出器が構成され、
その特別の選択可能なセルを選択し、その特別の選択可能なセルからサービスを受けるように前記電子回路が構成されることを特徴とする請求項１２に記載の移動無線装置。
【請求項１５】
前記移動無線局がサービスを受けることが奨励される１つまたは複数の特別の選択可能なセルを前記リストが含み、
前記移動無線装置が、前記リスト（２８）を蓄積するメモリ（２６）をさらに含み、
前記リストの各セルに関連するＩＤおよび、許容セル／非許容セルのインジケータと、電力オフセットと、前記セルに関連するアンテナ構成のうちの１つまたは複数のパラメータを前記リストが含むことを特徴とする請求項１２に記載の移動無線装置。
【請求項１６】
セルラー無線通信システムにおいて移動無線局（１８）と通信する無線アクセスネットワーク（１４）で実行される方法であって、
移動無線局が選択することを禁止されている１つまたは複数の隣接セルと、移動無線局が選択することができるその他の隣接セルとは異なるように前記移動無線局が扱うべき１つまたは複数の選択可能な隣接セルとを含み、前記その他の隣接セルを含まない特別隣接セルのリストを決定するステップと、
サービス提供セルからの前記特別隣接セルのリストを同報送信するか、または専用メッセージで送信するステップと
を含むことを特徴とする方法。
【請求項１７】
加入に関わらず移動無線局により検出可能な形式で前記特別隣接セルのリストを送信することを特徴とする請求項１６に記載の方法。
【請求項１８】
前記特別隣接セルのリストが変化する場合、前記サービス提供セルから前記変化するリストを同報送信するか、または専用メッセージで送信することを特徴とする請求項１６に記載の方法。
【請求項１９】
前記特別隣接セルのリストが前記リストの各セルに関連するＩＤおよび、許容セル／非許容セルのインジケータと、電力オフセットと、前記セルに関連するアンテナ構成のうちの１つまたは複数のパラメータを含むことを特徴とする請求項１６に記載の方法。
【請求項２０】
セルラー無線通信システムにおいて移動無線局（１８）と通信する無線アクセスネットワーク（１４）に実装される装置であって、
移動無線局が選択することを禁止されている１つまたは複数の隣接セルと、移動無線局が選択することができるその他の隣接セルとは異なるように前記移動無線局が扱うべき１つまたは複数の選択可能な隣接セルとを含み、前記その他の隣接セルを含まない特別隣接セルのリストを決定するプロセッサ（３６）と、
サービス提供セルから前記特別隣接セルのリストを送信する無線送信機（４４）と
を備えることを特徴とする装置。
【請求項２１】
加入に関わらず移動無線局により検出可能な形式で前記特別隣接セルのリストを送信することを特徴とする請求項２０に記載の装置。
【請求項２２】
前記特別隣接セルのリストが変化する場合、前記サービス提供セルから前記変化する同報送信リストを送信するように前記無線送信器が構成されることを特徴とする請求項２０に記載の装置。
【請求項２３】
前記特別隣接セルのリストが前記リストの各セルに関連するＩＤおよび、許容セル／非許容セルのインジケータと、電力オフセットと、前記セルに関連するアンテナ構成のうちの１つまたは複数のパラメータを含むことを特徴とする請求項２０に記載の装置。
【国際調査報告】
2010510714.tif 000012
2010510714.tif 000013
2010510714.tif 000014
2010510714.tif 000015